(57)【要約】【課題】バイヨネット結合された集塵ハウジングが不意に外れることを防止する。【解決手段】クリーナ本体５の一方の筒端に円筒結合部１５を設け、集塵ハウジング９の一方の筒端に円筒結合部１５の外周面に嵌合する内周面を備えた開口結合部２１を設け、円筒結合部１５の外周面にバイヨネット溝３１を設け、対応するバイヨネット溝３１を摺動する係止ブロック４１を開放結合部２１の内周面に設け、さらに、バイヨネット溝３１を、円筒結合部１５の筒軸線に一致する挿抜方向に沿って円筒結合部１５の突端縁から形成された挿抜方向溝３３と、挿抜方向溝３３の終端から筒軸線周りの回転方向へ連設された回転方向溝３５とから構成し、回転方向溝３５の吸気口２３側の側縁に係止ブロック４１が係止される凹部４３を形成する。【選択図】図１
2010213935.tif 000002
【特許請求の範囲】
【請求項１】
電動送風機を収納した筒状のクリーナ本体と、集塵部を形成した筒状の集塵ハウジングとを備え、前記クリーナ本体の一端に円筒結合部を設けるとともに、前記集塵ハウジングの一端に前記円筒結合部に嵌合する開口結合部を設け、前記円筒結合部または前記開口結合部のいずれか一方にバイヨネット溝を設けるとともに、他方に前記バイヨネット溝を摺動する係止ブロックを設けて、前記クリーナ本体と前記集塵ハウジングとを分離可能にバイヨネット結合してなるクリーナであって、
前記バイヨネット溝は、
前記円筒結合部の筒軸線に一致する挿抜方向に沿って形成された挿抜方向溝と、挿抜方向溝の終端から筒軸線周りの回転方向へ連設された回転方向溝とから構成され、
前記回転方向溝の前記吸気口側の側縁に、前記係止ブロックが係止される凹部を形成してなる、
ことを特徴とするクリーナ。
【請求項２】
前記バイヨネット溝は、
前記係止ブロックが接触する溝側縁に金属製の保面部材を装着してなる、
請求項１に記載のクリーナ。
【発明の詳細な説明】
【技術分野】
【０００１】
本発明は、電動送風機を収納したクリーナ本体と集塵部を収納した集塵ハウジングとを着脱自在に結合してなるクリーナに関し、その結合構造に関する。
【背景技術】
【０００２】
従来から、ハンディタイプのクリーナにおいて、その本体と集塵ハウジングとの結合には、ねじり操作と挿抜操作とで行ういわゆるバイヨネット結合が広く用いられている。例えば、特許文献１には、掃除機本体にバイヨネット結合でダストケースを取り付けてなる電気掃除機が開示されている。特許文献１の電気掃除機によれば、本体とダストケースとの取り外しが容易になる。
【先行技術文献】
【特許文献】
【０００３】
【特許文献１】特開昭６０−３４４２１号公報
【発明の概要】
【発明が解決しようとする課題】
【０００４】
しかし、特許文献１のような構成の電気掃除機では、例えばダストケースに設けられた吸い込み口に対して隙間ノズル等のアタッチメントを脱着する等、挿抜操作はもちろんねじり操作が行われることが予想される。したがって、アタッチメントの取り外しに際して、バイヨネット結合の両操作と一致した場合には、アタッチメントとともにダストケースが本体から不意に取り外され易くなる。よって、本体とダストケースとが２つに分離し易くなり、ダストケースが開口して塵埃が散乱したり、勢い余って滑り落とす可能性がある点で問題があった。
【０００５】
そこで、本発明では上記課題を鑑み、ダストケースに相当する集塵ハウジングがクリーナ本体から不意に外れることを防止できるクリーナの提供を課題とする。
【課題を解決するための手段】
【０００６】
上記課題を解決するため、請求項１の発明に係るクリーナは、電動送風機を収納した筒状のクリーナ本体と、集塵部を形成した筒状の集塵ハウジングとを備え、前記クリーナ本体の一端に円筒結合部を設けるとともに、前記集塵ハウジングの一端に前記円筒結合部に嵌合する開口結合部を設け、前記円筒結合部または前記開口結合部のいずれか一方にバイヨネット溝を設けるとともに、他方に前記バイヨネット溝を摺動する係止ブロックを設けて、前記クリーナ本体と前記集塵ハウジングとを分離可能にバイヨネット結合してなるクリーナであって、前記バイヨネット溝が、前記円筒結合部の筒軸線に一致する挿抜方向に沿って形成された挿抜方向溝と、挿抜方向溝の終端から筒軸線周りの回転方向へ連設された回転方向溝とから構成され、前記回転方向溝の前記吸気口側の側縁に、前記係止ブロックが係止される凹部を形成してなるように構成される。
【０００７】
請求項２の発明に係るクリーナは、前記係止ブロックが接触する前記バイヨネット溝の溝側縁に金属製の保面部材を装着してなるように構成される。
【発明の効果】
【０００８】
請求項１の発明によれば、回転方向溝の吸気口側の側縁に係止ブロックを係止する凹部を設けたので、クリーナ本体にバイヨネット結合された集塵ハウジングが不意に外れることを防止できる。
請求項２の発明によれば、請求項１の効果に加えて、係止ブロックを溝側縁に対して摺動し易くでき耐摩耗性を向上できる。
【図面の簡単な説明】
【０００９】
【図１】本発明に係るクリーナを示す斜視説明図である。
【図２】本発明に係るクリーナを示す要部拡大説明図である。
【図３】保面部材を示す斜視説明図である。
【図４】集塵ハウジングを取り付けた状態を示す斜視説明図である。
【図５】集塵ハウジングを取り付けた状態を示す要部拡大説明図である。
【図６】集塵ハウジングの回転操作が阻止された状態を示す斜視説明図である。
【図７】集塵ハウジングの回転操作が阻止された状態を示す要部拡大説明図である。
【図８】本発明の他の実施の形態を示す斜視説明図である。
【発明を実施するための形態】
【００１０】
以下、本発明を具体化した実施の形態を、図面に基づいて詳細に説明する。図１、２に示すように、クリーナ１は、図示しない電動送風機を内蔵したクリーナ本体５と、内部に集塵部７を形成した集塵ハウジング９とを、着脱自在にバイヨネット結合して構成されている。
【００１１】
クリーナ本体５は、電動送風機の収納空間が形成された中空の筒状体で、一方の筒端に、円形のフィルター取付部１１とその周縁から所定の突設幅で形成された円筒結合部１５とが設けられている。また他方の筒端には、把持部１３が設けられている。フィルター取付部１１の中央部には、電動送風機で発生させた気流を取り込む取り込み口１７が設けられている。また筒状体の筒側面には、取り込んだ気流を排出する排気口１９が設けられている。
【００１２】
集塵ハウジング９は、集塵部７が形成された中空の筒状体で、一方の筒端には、クリーナ本体５のフィルター取付部１１を覆って円筒結合部１５の外周面に嵌合する内周面を備えた開口結合部２１が形成されている。また他方の筒端には、クリーナ本体５と結合した状態で、電動送風機で発生させた気流とともに塵埃を吸い込む吸気口２３が設けられている。
【００１３】
クリーナ本体５の円筒結合部１５には、その外周面にバイヨネット溝３１が軸心を中心とした点対称に２カ所設けられている。また、集塵ハウジング９の開放結合部２１には、対応するバイヨネット溝３１を摺動する係止ブロック４１がその内周面に対応数設けられている。
【００１４】
バイヨネット溝３１は、円筒結合部１５の筒軸線に一致する挿抜方向に沿って円筒結合部１５の突端縁から所定長で形成されるとともに所定幅および所定深さで形成された挿抜方向溝３３と、挿抜方向溝３３の終端から筒軸線周りの回転方向へ所定長さで形成されるとともに所定幅および挿抜方向溝３３と同じ深さで連設された回転方向溝３５とから構成されている。また回転方向溝３５は、溝基端から溝先端へ幅が狭くなるように、クリーナ本体５側の側縁が回転方向に一致して形成されるのに対して、対向する挿抜方向の吸気口２３側の側縁が挿抜方向へ傾斜する傾斜縁となるように形成されている。
【００１５】
係止ブロック４１は、挿抜方向溝３３の幅よりも小さい回転方向に沿う長辺と、回転方向溝３５の幅よりも小さい挿抜方向に沿う短辺と、バイヨネット溝３１の深さよりも短い高さで所定の位置に突設されている。
【００１６】
またバイヨネット溝３１は、回転方向溝３５の傾斜縁の中間部に係止ブロック４１が係止される凹部４３を形成して構成されている。
【００１７】
またバイヨネット溝３１において、係止ブロック４１が接触する溝側縁には、金属製の保面部材４７が留め金４７ａ、４７ｂによって装着されている。図３に示すように、保面部材４７は、溝深さと同一の幅からなる帯状の金属板をバイヨネット溝３１の側縁に沿って折り曲げ形成して構成されている。
【００１８】
上記構成のクリーナ１において、クリーナ本体５に集塵ハウジング９を取り付ける取り付け操作は、先ず、係止ブロック４１を対応する挿抜方向溝３３に位置合わせをして、集塵ハウジング９の開放結合部２１をクリーナ本体５の円筒結合部１５に被せる（図１、２参照）。係止ブロック４１が挿抜方向溝３３の終端で挿し込み止めされたら、回転方向溝３５のクリーナ本体５側の側縁に当接させながら回転方向へ先端まで回転させる。以上の手順によって取り付け操作が行われる（図４、５参照）。
【００１９】
一方集塵ハウジング９の取り外し操作は、係止ブロック４１を回転方向溝３５の先端から挿抜方向溝３３まで回転させ挿抜方向溝３３に沿って引き抜く手順で行われる。
通常の取り外し操作において、回転方向溝３５を摺動する係止ブロック４１は、クリーナ本体５側の側縁に沿って回転する。この場合、吸気口２３側の側縁である傾斜縁に形成した凹部４３に係止ブロック４１は係止されず、連続して挿抜方向溝３３に沿う引き抜きが可能である。
【００２０】
稀ではあるが、吸気口２３に対して装着した隙間ノズル等のアタッチメントを抜き取る場合等、集塵ハウジング９が偶発的に回転して抜き方向へ操作されることがある。この操作によって、係止ブロック４１が吸気口２３側の側縁に当接しながら挿抜方向溝３３の側縁まで回転した場合には、凹部４３に係止され、それ以上の回転操作が阻止される（図６、７参照）。この回転操作の阻止状態を解除して回転を続ける場合には、集塵ハウジング９を一旦挿し込み、係止ブロック４１を凹部４３から脱出させて傾斜縁に対向するクリーナ本体５側の側縁に当接させて回転させる。
【００２１】
上記構成のクリーナ１によれば、集塵ハウジング９に設けられた吸気口２３に対して隙間ノズル等のアタッチメントを脱着する等、バイヨネット結合の回転操作と挿抜操作と一致する操作を行った場合であっても、係止ブロック４１を凹部４３で係止して回転操作を阻止でき、集塵ハウジング９がクリーナ本体５から不意に取り外されることを防止できる。よって、クリーナ本体５と集塵ハウジング９とが２つに分離し難くなり、集塵ハウジング９から塵埃が散乱したり、勢い余って滑り落とす等の可能性を低減できる。
バイヨネット溝３１に、金属製の保面部材を装着して構成したので、係止ブロック４１を溝側縁に対して摺動し易くでき耐摩耗性を向上できる。
【００２２】
図８は、本発明の他の実施の形態を示す斜視説明図である。本クリーナ５１は、クリーナ１と異なり、クリーナ本体５の円筒結合部１５に係止ブロック４１が形成され、集塵ハウジング９の開放結合部２１にバイヨネット溝３１が形成されて構成されている。その他の構成は、クリーナ１と同様である。本クリーナ５１によっても、クリーナ１と同様の作用効果を得ることができる。
【００２３】
尚、本発明は上記実施形態に限定されるものではなく、下記のように、本発明の趣旨を逸脱しない範囲で各部の形状並びに構成を適宜に変更して実施することも可能である。
（１）係止ブロックは、長方形状に限らず、凹部に係止される形状であれば、正方形、長円形、円形等で形成しても良い。
（２）保面部材は、バイヨネット溝の溝側縁の全縁に限らず、少なくとも係止ブロックが接触する縁に装着して構成しても良い。また、保面部材を取り除いてバイヨネット溝を構成させることも可能である。
（３）バイヨネット溝を円筒結合部に形成する場合には、円筒結合部を筒板で構成して切り抜き形成しても良い。
（４）クリーナ本体の円筒結合部は、その外周面を集塵ハウジングの内周面に嵌合させることに限らず、その内周面を集塵ハウジングの外周面に嵌合するように構成しても良い。
【符号の説明】
【００２４】
１，５１・・クリーナ、５・・クリーナ本体、７・・集塵部、９・・集塵ハウジング、１１・・フィルター取付部、１３・・把持部、１５・・円筒結合部、１７・・取り込み口、１９・・排気口、２１・・開口結合部、２３・・吸気口、３１・・バイヨネット溝、３３・・挿抜方向溝、３５・・回転方向溝、４１・・係止ブロック、４３・・凹部、４７・・保面部材。
【図１】
2010213935.tif 000003
【図２】
2010213935.tif 000004
【図３】
2010213935.tif 000005
【図４】
2010213935.tif 000006
【図５】
2010213935.tif 000007
【図６】
2010213935.tif 000008
【図７】
2010213935.tif 000009
【図８】
2010213935.tif 000010